(57)【特許請求の範囲】
【請求項１】
天井に取り付けられるルーバに、ランプを装着するランプソケットと、前記ランプの給電部品と、前記ランプの上方を覆う反射板とが一体的に設けられ、前記ルーバを天井から吊り下げた仮吊り状態にするための吊りアームが設けられ、該吊りアームの一端が前記ルーバに取り付けられ、他端が天井に取り付けられたことを特徴とする照明器具。
【請求項２】
ルーバの上部に、ランプソケットと給電部品と反射板とを備えた取付部材が取り付けられ、前記反射板は、中央寄りの内端を中心に前記取付部材に開閉自在に取り付けられ、前記ルーバが仮吊り状態のとき、開いた反射板が交換するランプの受け皿となることを特徴とする請求項１記載の照明器具。
【発明の詳細な説明】
【０００１】
【発明の属する技術分野】
本発明は、ルーバ付きの照明器具に関し、特にシステム天井用の照明器具に関する。
【０００２】
【従来の技術】
従来のシステム天井用の照明器具では、図４、５に示すように、天井に張り巡らされたＴバー１にランプ２を装着する灯具３が支持され、ランプ２の下方に配されたルーバ４がＴバー１に載置される。
【０００３】
灯具３は、シャーシ５に、一対のランプソケット６、反射板７、安定器等の給電部品８が取り付けられて構成される。そして、シャーシ５の両側に形成された取付脚９をＴバー１の上端部に載せることにより、灯具３は天井に装着される。なお、図中、１０は補助反射板、１１は天井板である。
【０００４】
【発明が解決しようとする課題】
上記の照明器具は、灯具、反射板、ルーバがそれぞれ独立した構造とされる。照明器具を天井に取り付けるには、まず灯具をＴバーに設置してから、反射板を灯具にねじにより取り付け、ランプを装着した後、ルーバをＴバーのフランジに載せることによって、作業が完了する。
【０００５】
そのため、上記のような構造の照明器具では、部品が多いので、取付作業に時間と手間がかかる。また、オフィスにおいて多数の照明器具を取り付ける場合、部品が紛失しないように作業中の部品管理も必要となり、面倒である。
【０００６】
本発明は、上記に鑑み、部品点数を少なくして、容易に取り付けることができる照明器具を提供することを目的とする。
【０００７】
【課題を解決するための手段】
本発明による課題解決手段は、ランプを装着するランプソケットと、前記ランプの給電部品と、前記ランプの上方を覆う反射板とがルーバに一体的に設けられ、該ルーバが天井に取り付けられるものである。
【０００８】
具体的には、ルーバの上部に、ランプソケットと給電部品とを保持した取付部材が一体的に設けられ、該取付部材に、前記ランプの上方を覆う反射板が開閉自在に取り付けられる。そして、ルーバが天井に設けられた支持部材に支持されることにより、天井に取り付けられる。
【０００９】
このように、ルーバ付きの照明器具を１つのユニットにすることにより、部品点数を減らすことができる。しかも、ルーバを天井に直接取り付けるか、あるいは支持部材を介して取り付けることにより、取付作業が完了するので、作業時間が短く、間単に行うことができる。
【００１０】
また、ランプの下方に位置するルーバは、他の部品から取り外すことができないので、ランプの上方に位置する反射板を開閉自在とすることにより、ランプの着脱を行える。
【００１１】
ランプ交換時にルーバを天井に仮吊りするための吊りアームが設けられ、該吊りアームの一端が前記ルーバに取り付けられ、他端が天井あるいは支持部材に取り付けられる。吊りアームは、ルーバあるいは天井に着脱可能としておくと、メンテナンスを行うときに吊りアームを取り外せば、ルーバを天井から外すことができる。
【００１２】
これによって、ルーバを天井から吊り下がった状態にすることができ、ルーバの上面が外に露出して、広いスペースでランプの交換を行うことが可能となる。このとき、反射板が開閉自在であれば、反射板を開くことによってランプが露出するので、交換がさらに容易となる。
【００１３】
【発明の実施の形態】
本発明の照明器具は、図１、２に示すように、ランプ２０を装着するランプソケット２１と、ランプ２０の給電部品２２と、ランプ２０の上方を覆う反射板２３と、ルーバ２４とを一体化した構造とされ、システム天井を構成する支持部材、すなわち天井板２５を支持する支持部材であるＴバー２６に載置される。
【００１４】
ルーバ２４は、側枠２４ａの内部を縦枠２４ｂと横枠２４ｃを組み込んだ公知の構造のものである。このルーバ２４の上部に、安定器等の給電部品２２を内装した取付部材２７がねじ等によって取り付けられる。
【００１５】
取付部材２７は、２本のランプ２０の間に配置され、下面が開放された箱状に形成される。取付部材２７の長手方向の両側に、一対のランプソケット２１が取り付けられ、給電部品２２に電線により接続される。取付部材２７の上面からはコネクタ付きの電源ケーブル２８が露出され、給電ケーブル２９のコネクタに接続される。給電ケーブル２９は、ルーバ２４をまたぐようにＴバー２６に設置された端子金具３０にガイドされている。
【００１６】
反射板２３は、ランプ２０ごとに設けられ、中央寄りの内端が取付部材２７に回転可能なように取り付けられ、外端がルーバ２４から少し離れた状態に保持される。これにより反射板２３は内端を中心に開閉自在とされ、ランプ２０を着脱するとき、反射板２３が邪魔にならず、容易に行うことができる。
【００１７】
また、図３に示すように、ランプ２０の交換時にルーバ２４を天井から吊り下げた仮吊り状態に支持するため、吊りアーム３１が天井に複数個設けられる。吊りアーム３１の一端が取付金具３２に取り付けられ、取付金具３２がＴバー２６の上部に被せられることにより、吊りアーム３１は天井に取り付けられる。吊りアーム３１の他端は、折り曲げられてフック状に形成され、ルーバ２４の側枠２４ａの折曲片３３を引っ掛けて、ルーバ２４を仮吊りする。吊りアーム３１は、一側のＴバー２６だけでなく、対向する両側のＴバー２６にそれぞれ取り付けて、どちらでも利用できるようにしておくとよい。
【００１８】
次に、上記の照明器具の取り付け手順を説明する。ランプソケット２１、給電部品２２、反射板２３を一体的に設けたルーバ２４にあらかじめランプ２０を装着しておく。なお、ランプ２０は後で装着してもかまわない。
【００１９】
吊りアーム３１を取り付けた取付金具３２をＴバー３１に装着する。吊りアーム３１にルーバ２４を引っ掛けて、仮吊りし、天井の給電ケーブル２９に電源ケーブル２８を接続する。このとき、ルーバ２４は天井から吊り下がった状態になるので、ルーバ２４を支えなくてもよく、ケーブルの接続作業を簡単に行える。その後、ルーバ２４の一側をＴバー２６に載せ、次に他側をＴバー２６に載せる。なお、吊りアーム３１が外にはみ出さないように、ルーバ２４の上方に押し込んでおく。
【００２０】
このように、ユニット化されたルーバ２４付きの照明器具をＴバー２６に載置するだけで取り付けは終了するので、作業時間の短縮を図れるとともに、作業工程も少なくてすむ。
【００２１】
ランプ２０を交換するときには、ルーバ２４をＴバー２６から外し、吊りアーム３１をルーバ２４に引っ掛ける。ルーバ２４は、天井に仮吊り状態に支持される。このとき、電源ケーブル２８は、給電ケーブル２９から外さなくても差し支えない。反射板２３を開き、ランプソケット２１からランプ２０を取り外して、新しいランプ２０に交換し、反射板２３を元に戻す。そして、ルーバ２４をＴバー２６に載せることによって、交換作業が終了する。
【００２２】
このように、ランプ交換時にルーバ２４を天井から吊るした状態にするので、ランプソケット２１の位置が下がることになり、従来のように天井内に入り込んだ位置で交換作業を行う場合に比べて、楽な姿勢を取ることができ、交換作業が行いやすくなる。また、ルーバ２４を仮吊りしたとき、上側に位置する反射板２３を開いてランプ２０の交換を行うと、反射板２３を受け皿として利用でき、ランプ２０が落下することを防止でき、安全である。
【００２３】
なお、本発明は、上記実施形態に限定されるものではなく、本発明の範囲内で上記実施形態に多くの修正および変更を加え得ることは勿論である。照明器具は、システム天井用のようにＴバーに載せて設置するものに限らず、天井にルーバを直接ねじ止めしたり、フック等の支持部材にルーバを引っ掛けて取り付ける構造のものとしてもよい。
【００２４】
また、吊りアームをルーバに取り付けておき、Ｔバーに引っ掛けるようにしてもよい。さらに、吊りアームをコイルばねのように伸縮可能なものとしてもよく、ルーバをより低い位置まで下げることができ、楽な姿勢で交換作業を行うことができる。
【００２５】
【発明の効果】
以上の説明から明らかな通り、本発明によると、ランプソケット、反射板、給電部品、ルーバを１つのユニットにして一体化することにより、取付作業時に各部品を組み立てる必要がなくなり、取付作業の時間を短くでき、容易に取り付けることができる。また、灯具の一部を減らすことができるので、部品点数を削減できるとともに軽量化を図れ、取り扱いが楽になる。
【００２６】
そして、一体化されたルーバを天井から簡単に取り外すことができるので、ランプの交換や清掃のとき、作業しやすい環境で行うことができ、メンテナンス性が向上する。
【図面の簡単な説明】
【図１】本発明の照明器具の分解斜視図
【図２】天井に取り付けられた照明器具の断面図
【図３】ランプ交換時に仮吊りしたときの照明器具を示す図
【図４】従来の照明器具の分解斜視図
【図５】従来の天井に取り付けられた照明器具の断面図
【符号の説明】
２０    ランプ
２１    ランプソケット
２２    給電部品
２３    反射板
２４    ルーバ
２６    Ｔバー
２７    取付部材
３１    吊りアーム
【図１】
0003790491.tif 000002
【図２】
0003790491.tif 000003
【図３】
0003790491.tif 000004
【図４】
0003790491.tif 000005
【図５】
0003790491.tif 000006